(57)【要約】【課題】  人が部屋に入ると速やかに人感センサーにより検知されてランプが点灯し、誤動作や寿命劣化の少ない照明器具を提供すること。【解決手段】  長尺の器具本体２と、器具本体２に装着されるランプ３と、ランプ３を点灯させる点灯装置４と、器具本体２に取り付けられてランプ３を覆う透光性カバー５と、人を検知して点灯装置４に点灯信号を送る人感センサー６とを備えた照明器具において、人感センサー６は器具本体２の長手方向の一方の端部に備えられてなる。【選択図】図２
2005235398.tif 000002
【特許請求の範囲】
【請求項１】
長尺の器具本体と、
この器具本体に装着されるランプと、
このランプを点灯させる点灯装置と、
前記器具本体に取り付けられて前記ランプを覆う透光性カバーと、
人を検知して前記点灯装置に点灯信号を送る人感センサーとを備えた照明器具において、
前記人感センサーが前記器具本体の長手方向の一方の端部に備えられてなることを特徴とする照明器具。
【請求項２】
前記人感センサーに、照明器具周囲の明るさを検知してランプの明るさを自動制御する明るさセンサーが一体化して設けられてなることを特徴とする請求項１に記載の照明器具。
【請求項３】
前記人感センサーが透光性カバーで覆われてなり、前記人感センサーの検知部が前記透光性カバーの長手方向の一方の端部に穿設されたセンサー孔から露出してなることを特徴とする請求項１又は２に記載の照明器具。
【請求項４】
前記器具本体の長手方向の両端部に前記ランプを取り付けるためのソケットが備えられ、前記器具本体の長手方向の一方の端部で前記ソケットのランプ取り付け側とは反対側に前記人感センサーを支持するためのセンサー支持台が備えられてなることを特徴とする請求項１乃至３のいずれかに記載の照明器具。
【請求項５】
前記センサー支持台の前記ランプと対向する面に、前記ランプの動作条件を調整するための操作部が備えられてなることを特徴とする請求項４に記載の照明器具。
【発明の詳細な説明】
【技術分野】
【０００１】
本発明は、人感センサーを備えた照明器具に関するものである。
【背景技術】
【０００２】
従来より、図４に示すような長尺の器具本体３２と、ランプ３３と、このランプ３３を点灯させる点灯装置（図示せず）と、器具本体３２の中心部に設けられた人感センサー３４とを備えた照明器具３１が知られている。（特許文献１）
【特許文献１】特開２０００−１３３０４０公報
【発明の開示】
【発明が解決しようとする課題】
【０００３】
しかしながら、人感センサー３４を器具本体３２の中央部に配置した場合、部屋の入口ドアまで人感センサー３４の検知範囲が届かず、その結果、人が部屋に入ってもすぐに人感センサー３４が検知しないという問題があった。
【０００４】
また、消灯後にランプ３３の残光により再点灯を繰り返したりすることがあった。このことは、例えば器具本体３２に透光性カバー３５を取り付けた場合には、透光性カバー３５にランプ３３の残光が反射するため、特に問題となることがあった。
【０００５】
さらに、ランプ３３の光を多量に受けるために熱的な負荷が大きくなり人感センサー３４の寿命が劣化したりするという問題があった。
【０００６】
本発明は、かかる事由に鑑みてなしたもので、その目的とするところは、人が部屋に入ると速やかに人感センサーにより検知されてランプが点灯し、誤動作や寿命劣化の少ない照明器具を提供することにある。
【課題を解決するための手段】
【０００７】
上記課題を解決するために、本発明では、第１には、長尺の器具本体と、この器具本体に装着されるランプと、このランプを点灯させる点灯装置と、前記器具本体に取り付けられて前記ランプを覆う透光性カバーと、人を検知して前記点灯装置に点灯信号を送る人感センサーとを備えた照明器具において、前記人感センサーが前記器具本体の長手方向の一方の端部に備えられてなる。
【０００８】
第２には、前記人感センサーに、照明器具周囲の明るさを検知してランプの明るさを自動制御する明るさセンサーが一体化して設けられてなる。
【０００９】
第３には、前記人感センサーが透光性カバーで覆われてなり、前記人感センサーの検知部が前記透光性カバーの長手方向の一方の端部に穿設されたセンサー孔から露出してなる。
【００１０】
第４には、前記器具本体の長手方向の両端部に前記ランプを取り付けるためのソケットが備えられ、前記器具本体の長手方向の一方の端部で前記ソケットのランプ取り付け側とは反対側に前記人感センサーを支持するためのセンサー支持台が備えられてなる。
【００１１】
第５には、前記センサー支持台の前記ランプと対向する面に、前記ランプの動作条件を調整するための操作部が備えられてなる。
【発明の効果】
【００１２】
上記本発明の第１の照明器具では、人感センサーを器具本体の長手方向の一方の端部に備えるため、照明器具を部屋の中央部に設置しても人感センサーの検知範囲を部屋の中央から入口ドア側にずらすことができる。これにより、住宅のクローゼットや納戸等の細長形状の部屋においても入口ドアから人が入ると速やかに人感センサーにより人が検知されてランプを点灯させることができる。また、人感センサーに対するランプの光や熱の影響を少なくすることができるため、人感センサーの誤動作や寿命劣化を少なくすることができる。
【００１３】
上記本発明の第２の照明器具では、上記第１の照明器具と同様の効果が得られ、また、人感センサーに、照明器具周囲の明るさを検知してランプの明るさを自動制御する明るさセンサーが一体化して設けられてなるため、余分な電力を使用することがなく、省エネルギー化が可能になる。また、明るさセンサーに対するランプの光や熱の影響を少なくすることができるため、明るさセンサーの誤動作や寿命劣化を少なくすることができる。
【００１４】
上記本発明の第３の照明器具では、上記第１の照明器具と同様の効果が得られ、また、透光性カバーに穿設されたセンサー孔から人感センサーの検知部が露出しているので、人感センサーの感度が良好となる。また、透光性カバーに反射して人感センサーの検知部に入射するランプの光の影響をさらに少なくすることができるため、人感センサーの誤動作をさらに少なくすることができる。
【００１５】
上記本発明の第４の照明器具では、上記第１の照明器具と同様の効果が得られ、また、人感センサーの検知部を器具本体からセンサー支持台の高さ分だけ離して設置することができるので、照明器具内のその他の部品等により検知範囲を遮られることがなく、充分な検知範囲を確保することができる。また、センサー支持台が器具本体の端部に備えられているため、このセンサー支持台によりランプの光を遮って照明器具の見栄えを悪くすることがない。
【００１６】
上記本発明の第５の照明器具では、上記第１の照明器具と同様の効果が得られ、また、センサー支持台のランプと対向する面に、ランプの動作条件を調整するための操作部が備えられているため、ランプを点灯した状態においてもランプ側から操作部を見ることができるため操作部が見やすくなり、その結果、操作部の操作性がよくなる。
【発明を実施するための最良の形態】
【００１７】
本発明の実施形態における照明器具１は、図１、２に示すように、長尺の器具本体２と、この器具本体２に装着されるランプ３と、このランプ３を点灯させる点灯装置４と、器具本体２に取り付けられてランプ３を覆う透光性カバー５と、人を検知して点灯装置４に点灯信号を送る人感センサー６とを備えており、人感センサー６は器具本体２の長手方向の一方の端部に備えられている。
【００１８】
また、人感センサー６は、照明器具１周囲の明るさを検知してランプ３の明るさを自動制御する明るさセンサー機能を兼ね備えている。すなわち、人感センサー６に明るさセンサーが一体化して設けられている。
【００１９】
器具本体２は細長い長方形状に形成されており、木ねじ９により天井面に取り付けられる。また、器具本体２の長手方向中央部にはランプ３を点灯させるための点灯装置４が設けられている。さらに、器具本体２に設けられた電源線引き込み孔１１から電源線１２が引き込まれ、端子台１３に接続される。
【００２０】
器具本体２の長手方向の両端部にはランプ３を取り付けるためのソケット１０が備えられ、ソケット１０にはランプ３として直管形蛍光灯が取り付けられる。
【００２１】
器具本体２の長手方向の一方の端部で、ソケット１０のランプ取り付け側とは反対側に、人感センサー６を支持するためのセンサー支持台７が備えられ、センサー支持台７の先端には検知部８が設けられている。
【００２２】
センサー支持台７のランプ３と対向する面には、ランプ３の動作条件を調整するための操作部７ｃが備えられている。操作部７ｃには、点灯保持時間調整ツマミ７ａと明るさ調整ツマミ７ｂが備えられている。
【００２３】
透光性カバー５の長手方向の一方の端部には人感センサー６の検知部８を露出するためのセンサー孔１５が穿設されており、人感センサー６の検知部８がセンサー孔１５から露出した状態で、透光性カバー５がつまみねじ１４により器具本体２に着脱自在に取り付けられている。
【００２４】
次に本実施形態における照明器具１の動作について説明する。
【００２５】
図３（ａ）に示すように、住宅のクローゼットや納戸等の部屋２０において、人感センサー６が入口ドア２１側に配置されるように、照明器具１が天井面の中央部に設置されている。
【００２６】
入口ドア２１から人が入ると、速やかに人感センサー６により検知されてランプ３が点灯する。この際、人感センサー６に備えられた明るさセンサー機能により周囲の明るさを検知し、明るさ調整ツマミ７ｂにて予め設定された明るさになるようにランプ３の明るさが自動制御される。
【００２７】
そして、人が部屋２０から出て行った後、点灯保持時間調整ツマミ７ａにて予め設定された点灯保持時間を経過するとランプ３が消灯するようになっている。
【００２８】
ここで、図３（ｂ）のように、従来の照明器具３１では、人感センサー３４が器具本体３２の中央部に設けられているため、照明器具３１を部屋２０の天井面の中央部に設置すると、人感センサー３４も部屋２０の天井面の中央部に配置されることになり、入口ドア２１が人感センサー３４の検知範囲２２内に入っていなかった。このため、人が入口ドア２１から入って数歩進まなければ人感センサー３４に検知されないものであった。
【００２９】
一方、本実施形態における照明器具１では、人感センサー６が器具本体２の長手方向の一方の端部に備えられているため、部屋２０において、照明器具１を天井面の中央部に設置しても、人感センサー６が入口ドア２１側に配置されるようにすることができる。その結果、部屋２０の入口ドア２１が人感センサー６の検知範囲２２内に入るようになり、入口ドア２１から人が入ると速やかに人感センサー６により検知することができる。
【００３０】
また、人感センサー６が器具本体２の長手方向の一方の端部に備えられているため、人感センサー６に対するランプの光や熱の影響を少なくすることができ、人感センサー６の誤動作や寿命劣化を少なくすることができる。
【００３１】
また、人感センサー６に、照明器具１周囲の明るさを検知してランプ３の明るさを自動制御する明るさセンサーが一体化して設けられ、明るさ調整ツマミ７ｂにて予め設定されたランプ３の明るさになるように自動制御されるので、余分な電力を使用することがなく、省エネルギー化が可能になる。また、明るさセンサーに対するランプ３の光や熱の影響を少なくすることができるため、明るさセンサーの誤動作や寿命劣化を少なくすることができる。
【００３２】
また、透光性カバー５に穿設されたセンサー孔１５から人感センサー６の検知部８が露出しているので、検知部８が透光性カバー５を介さずに人体を検知することができ、人感センサー６の感度が良好になる。また、透光性カバー５に反射して人感センサー６の検知部に入射するランプ３の光の影響をさらに少なくすることができるため、人感センサー６の誤動作をさらに少なくすることができる。
【００３３】
また、センサー支持台７により人感センサー６の検知部８を器具本体２からセンサー支持台７の高さ分だけ離して設置することができるので、照明器具１内のその他の部品等により検知範囲を遮られることがなく、充分な検知範囲を確保することができる。また、センサー支持台７は、器具本体２の長手方向の一方の端部で、ソケット１０のランプ取り付け側とは反対側に備えられているため、このセンサー支持台７がランプ３からの光を遮ることもない。
【００３４】
また、センサー支持台７のランプ３と対向する面に、ランプ３の動作条件を調整するための操作部７ｃが備えられているため、ランプ３を点灯した状態においてもランプ３側から操作部７ｃを見ることができるため操作部７ｃが見やすくなり、その結果、ランプ３の光がまぶしくて操作しにくくなるといったことを防止できて操作部７ｃの操作性がよくなる。
【００３５】
なお、本実施形態ではランプ３として直管形蛍光灯を１本用いたが、直管形蛍光灯を２本又はそれ以上用いてもよく、その場合においても本実施形態と同様な効果を得ることができる。
【図面の簡単な説明】
【００３６】
【図１】本発明の実施形態における照明器具１の斜視図である。
【図２】同実施形態における照明器具１の分解斜視図である。
【図３】（ａ）本発明の実施形態における照明器具１を天井面の中央部に設置した状態の平面図である。（ｂ）従来の照明器具３１を天井面の中央部に設置した状態の平面図である。
【図４】従来の照明器具３１の斜視図である。
【符号の説明】
【００３７】
１  照明器具
２  器具本体
３  ランプ
４  点灯装置
５  透光性カバー
６  人感センサー
７  センサー支持台
８  検知部
【図１】
2005235398.tif 000003
【図２】
2005235398.tif 000004
【図３】
2005235398.tif 000005
【図４】
2005235398.tif 000006